(57)【要約】      （修正有）【課題】高枝鋏、高枝用鋸のような長柄工具の柄杆に装着する支持用把手を簡単な操作で所望位置に移動固定できるようにする。【解決手段】柄杆を抱持する短筒部４１１及び短筒部から直交する連結板部４１２を備えた装着本体４１と、連結板部の付け根部分の短筒部の外周面に、柄杆に当接可能で且つ柄杆方向への移動可能に組み込んだ滑り止め体４２と、把手部４３１の先方部４３２を連結板部に枢結して回動自在に連結したグリップ体４３とで構成し、グリップ体の先方部端面を、グリップ体が起立状態で押圧板を先方部端面で強圧し、斜立状態で滑り止め体への押圧が解除され、柄杆と平行状態で滑り止め体を強圧するカム形状（径大部４３４及び径小部４３５）に形成してなる。【選択図】図２
0003218386.tif 000002
【実用新案登録請求の範囲】
【請求項１】
長柄杆の先部に枝切断部を備えてなる長柄工具において、柄杆に装着する支持用把手であって、柄杆を抱持する短筒部及び短筒部から直交する連結板部を備えた装着本体と、連結板部の付け根部分の短筒部の外周面に、柄杆に当接可能で且つ柄杆方向への移動可能に組み込んだ滑り止め体と、適宜長さの把手部の先方部を連結板部に枢結して回動自在に連結したグリップ体とで構成し、グリップ体の先方部端面を、グリップ体が柄杆と直交する位置では先方部端面で滑り止め体を強圧し、斜交する位置では滑り止め体への押圧が解除され、柄杆と平行する位置では滑り止め体を強圧するカム形状に形成してなることを特徴とする長柄工具の柄杆支持用把手。
【請求項２】
連結板部とグリップ体に、グリップ体が直交する位置で当接してグリップ体の回動を９０度とするストッパー部を設けてなる請求項１記載の長柄工具の柄杆支持用把手。
【請求項３】
滑り止め体が、内面を柄杆外周面と一致させて短筒部の外周面に穿設した嵌合孔に装着した押圧板と、平板部の両端を折曲して偏平コ状に形成し、折曲端部を押圧板の外面に当接して配置した偏平コ字状のバネ板体で構成され、バネ板体の平板部をグリップ体の先方部端面で押圧するようにした請求項１又は２記載の長柄工具の柄杆支持用把手。
【請求項４】
長柄工具が、柄杆先部に枢結構造の固定刃と可動刃からなる鋏部を設け、柄杆基部に枢結構造の固定レバーと前記可動刃と連結した操作レバーからなる操作部を備えた高枝切鋏である請求項１乃至３記載の何れかの長柄工具の柄杆支持用把手。
【考案の詳細な説明】
【技術分野】
【０００１】
本考案は、高枝鋏や高枝鋸等の長柄工具において、柄杆の途中に装着する支持用把手に関するものである。
【背景技術】
【０００２】
高枝鋏は、長柄杆の先端に枢結構造の固定刃と可動刃からなる鋏部を設け、長柄杆基部に操作部を設けており、長柄杆の適宜位置に長柄杆を支持するは把手部が設けられている（特許文献１，２）。また長柄の先端に鋸部を設けた高枝切断具においても、長柄杆の適宜位置に長柄杆を支持する把手部が設けられている（特許文献３）。
【０００３】
前記の把手部は、長柄杆にして直交する方向に突設しており、特に特許文献３に開示されている長柄支持用把手は、装着固定位置を変更可能な構造を採用している。
【０００４】
具体的には、柄杆を抱持する短筒部（柄杆係合体）から直交する筒状連結部（グリップ支持体）を設けると共に、前記筒状連結部内に押圧体（遊動子）を内装し、グリップ体を筒状連結部に螺合装着して、押圧体を柄杆に押圧して、その摩擦力で固定するようにしているものである。
【先行技術文献】
【特許文献】
【０００５】
【特許文献１】特開２００６−２３０２６３号公報。
【特許文献２】特開２００６−６７８９９号公報。
【特許文献３】実公平７−１９２４３号公報。
【考案の概要】
【考案が解決しようとする課題】
【０００６】
作業効率を高めるために長柄支持用把手の装着固定位置の変更構造が必要であるが、前記した特許文献３に開示されているように、グリップの螺合装着によって固定のための正力を確保する構造は、位置移動操作が煩瑣であると共に、グリップを握持して使用する際に緩んでしまう虞があり、作業中に固定が解除される危険性がある。またグリップが突出した状態のままでは、不使用時の収納に際して、突出したグリップが邪魔になる場合がある。
【０００７】
そこで本考案は、簡単な操作で装着固定位置の変更可能で、且つグリップの折畳み収納が可能な構造の長柄工具の柄杆支持用把手を提案したものである。
【課題を解決するための手段】
【０００８】
本考案の請求項１記載に係る長柄工具の柄杆支持用把手は、長柄杆の先部に枝切断部を備えてなる長柄工具において、柄杆に装着する支持用把手であって、柄杆を抱持する短筒部及び短筒部から直交する連結板部を備えた装着本体と、連結板部の付け根部分の短筒部の外周面に、柄杆に当接可能で且つ柄杆方向への移動可能に組み込んだ滑り止め体と、適宜長さの把手部の先方部を連結板部に枢結して回動自在に連結したグリップ体とで構成し、グリップ体の先方部端面を、グリップ体が柄杆と直交する位置では先方部端面で滑り止め体を強圧し、斜交する位置では滑り止め体への押圧が解除され、柄杆と平行する位置では滑り止め体を強圧するカム形状に形成してなることを特徴とするものである。
【０００９】
而してグリップ体を柄杆と直交（起立）させると、グリップ体の先方部端面（カム径大部分）が滑り止め体を押圧し、滑り止め体が柄杆に強く押し付けられて、支持用把手が柄杆に対して固定されることになる。またグリップ体を柄杆に対して斜交（斜立）させると、滑り止め体と対面するグリップ体の先方部端面はカム径小部分となり、滑り止め体への押圧が解除され、支持用把手の移動が可能となる。またグリップ体を柄杆と平行に（倒伏）すると、グリップ体の先方部端面（カム径大部分）が滑り止め体を押圧し、滑り止め体が柄杆に強く押し付けられて、支持用把手が柄杆に対して固定されることになる。
【００１０】
従って長柄工具の使用に際しては、グリップ体を斜立状態として、所望位置に移動し、当該位置でグリップ体を起立させて固定状態として使用に供し、使用後はグリップ体を倒伏して固定化しておき、支持用把手が工具の収納、移動の支障にならないようにしたものである。
【００１１】
また本考案の請求項２記載に係る長柄工具の柄杆支持用把手は、特に、連結板部とグリップ体に、グリップ体が直交する位置で当接してグリップ体の回動を９０度とするストッパー部を設けてなるもので、支持用把手の起立位置が定まるので、グリップ体の起立、斜立、倒伏の位置決めが容易になされる。
【００１２】
また本考案の請求項３記載に係る長柄工具の柄杆支持用把手は、滑り止め体が、内面を柄杆外周面と一致させて短筒部の外周面に穿設した嵌合孔に装着した押圧板と、平板部の両端を折曲して偏平コ状に形成し、折曲端部を押圧板の外面に当接して配置した偏平コ字状のバネ板体で構成され、バネ板体の平板部をグリップ体の先方部端面で押圧するようにしたもので、グリップ体の先方部端面の当接する箇所（押圧箇所）が、適宜な反発弾性を備えるバネ板体の平板部となり、グリップ体の回動操作がスムーズになされる。
【考案の効果】
【００１３】
本考案の構成は上記のとおりで、高枝鋏や高枝鋸のような長柄を備えた工具において、簡単な操作で装着固定位置の変更及び折畳み収納が可能な長柄の支持用把手を提供できたものである。
【図面の簡単な説明】
【００１４】
【図１】本考案を高枝鋏に採用した実施形態の全体斜視図（一部切除）。
【図２】同柄杆支持用把手の分解斜視図。
【図３】同使用時状態（固定状態）の説明。
【図４】同移動可能状態（固定解除状態）の説明図。
【考案を実施するための形態】
【００１５】
次に本考案の実施形態につて説明する。実施形態は本考案に係る支持用把手を高枝鋏に採用した例を示した。
【００１６】
高枝鋏は、従前の物と同様に、長尺の柄杆１の先部に鋏部２を設け、柄杆１の基端に操作部３を設けたものである。鋏部２は、枢結構造の固定刃２１と可動刃２２からなり、操作部３は、枢結構造の固定レバー３１と前記可動刃２２と連結した操作レバー３２からなるものである。
【００１７】
本考案の支持用把手４は、柄杆１に装着するもので、装着本体４１と滑り止め体４２とグリップ体４３で構成される。
【００１８】
装着本体４１は、柄杆１を抱持する短筒部４１１及び短筒部４１１から外周方向（短筒部４１１の軸方向と直交する方向）に突設した対向する連結板部４１２を備え、対向する連結板部４１２間の付け根部分に当たる短筒部外周面に後述する滑り止め体４２を構成する押圧板４２１が嵌合する嵌合孔４１３を形成してなるものである。
【００１９】
滑り止め体４２は、押圧板４２１とバネ板体４２２で構成され、押圧板４２１は、内面が柄杆１の外周面と一致する形状で、短筒部４１１の外周面に穿設した嵌合孔４１３に嵌合装着する。尚必要に応じて前記内面に摩擦抵抗を増大させる材質（例えばゴム質）の部材を配置しても良い。
【００２０】
バネ板体４２２は、平板部４２２ａの両端を折曲して偏平コ状に形成し、折曲端部を押圧板４２１の外面に当接して配置し、滑り止め体４２の全体は、柄杆方向へ移動可能に組み込まれているものである。
【００２１】
グリップ体４３は、把手部４３１と先方部４３２で構成され、把手部４３１は使用者が握りやすい径及び適宜長さを備え、先方部４３２は連結板部４１２に枢結してグリップ体４３が柄杆１に対して起立状態（直交方向）から倒伏状態（閉口方向）への回動が自在となるように連結したものである。
【００２２】
特に前記の回動動作において、グリップ体４３が起立状態で一方の方向への倒伏が阻止されるように互いに当接するストッパー部（連結板部４１２のストッパー部４１４、グリップ体４３のストッパー部４３３）を設け、また先方部４３２の端面（回動外周面）を、グリップ体４３が起立状態と倒伏状態の時に、バネ板体４２２の平板部４２２ａを強圧する径大部４３４と、斜立状態でバネ板体４２２の平板部４２２ａへの押圧を解除する径小部４３５に形成したものである。
【００２３】
而してグリップ体４３を柄杆１に対して起立させると、径大部４３４がバネ板体４２２を柄杆１側に押圧し、これに伴って押圧板４２１が柄杆１を強圧し、装着本体４１が柄杆１に固定（柄杆１に添って移動することが阻止）される。この固定状態で支持用把手４を握持して高枝鋏を使用することになる。
【００２４】
また同様にグリップ体４３、柄杆１に対して倒伏させると、バネ板体４２２を柄杆１側に押圧し、これに伴って押圧板４２１が柄杆１を強圧し、装着本体４１が柄杆１に固定される。このグリップ体４３の倒伏固定状態で工具の収納がなされる。
【００２５】
特に本考案は、グリップ体４３を柄杆１に対して斜立（起立状態から傾ける）させると、径小部４３５がバネ板体４２２の平板部４２２ａと対面し、押圧板４２１による柄杆１への強圧が解除され、装着本体４１が柄杆１に添って移動可能となるものである。
【００２６】
従ってグリップ体４３の斜立、起立の切り替えで、柄杆１の任意位置（使用者の所望位置）に支持用把手４を固定することができるものである。
【符号の説明】
【００２７】
１      柄杆
２      鋏部
２１    固定刃
２２    可動刃
３      操作部
３１    固定レバー
３２    操作レバー
４      支持用把手
４１    装着本体
４１１    短筒部
４１２    連結板部
４１３    嵌合孔
４１４    ストッパー部
４２    滑り止め体
４２１    押圧板
４２２    バネ板体
４２２ａ    平板部
４３    グリップ体
４３１    把手部
４３２    先方部
４３３    ストッパー部
４３４    径大部
４３５    径小部
【図１】
0003218386.tif 000003
【図２】
0003218386.tif 000004
【図３】
0003218386.tif 000005
【図４】
0003218386.tif 000006